(57)【要約】【課題】単一部品で締付け作業も容易な締付けバンドを提供することである。【解決手段】バンド部材１の一方の端部に設けた二股部２を、他方の端部に設けたトンネル部３に嵌挿し、二股部２の先端部両側に設けた突出部５の外法幅をトンネル部３の内法幅よりも広くして、トンネル部３に嵌挿されて縮幅される二股部２の先端部をトンネル部３の出口側で拡幅させて、その両側の突出部５の顎５ａをトンネル部３の出口側縁に係止することにより、単一部品として締付け作業も容易にできるようにした。【選択図】図３
2007078040.tif 000002
【特許請求の範囲】
【請求項１】
可撓性を有する帯状のバンド部材の両端部を互いに係止して、剛性部材の外周面に筒状の被締付け部材を締付け固定する締付けバンドにおいて、前記バンド部材の一方の端部に先端が幅方向で二股に分岐する二股部を設けて、他方の端部にこの二股部が嵌挿されるトンネル部を設け、前記二股部の先端部両側に、幅方向外側へ突出して、二股部の根元側に顎が形成された突出部を設け、これらの二股部の幅方向外側へ突出する突出部の外法幅を前記トンネル部の内法幅よりも広くして、前記トンネル部に嵌挿されて縮幅される二股部の先端部をトンネル部の出口側で拡幅させて、その両側の前記突出部の顎をトンネル部の出口側縁に係止するようにしたことを特徴とする締付けバンド。
【請求項２】
前記トンネル部の内法幅を、前記二股部が嵌挿される出口側へ向かって徐々に狭くした請求項１に記載の締付けバンド。
【請求項３】
前記バンド部材の両端部の外側面に、両端部を接近させるように引掛けるための突起を設けた請求項１または２に記載の締付けバンド。
【発明の詳細な説明】
【技術分野】
【０００１】
本発明は、剛性部材の外周面に筒状の被締付け部材を締付け固定する締付けバンドに関する。
【背景技術】
【０００２】
可撓性を有する帯状のバンド部材の両端部を互いに係止して、等速ジョイント等のブーツやホース等の筒状の被締付け部材の端部を剛性部材の外周面に締付け固定する締付けバンドには、バンド部材の両端部に係合部を設け、両端部を係合させたバンド部材を帯状の締付け部材で縮径するように締付けるもの（例えば、特許文献１参照）、バンド部材の一端側内面にレバーを重ねて固定し、他端側外面に設けられた係止部にレバーの基端を係止して、レバー先端側をバンド部材の他端側外面に重ね合わせるように倒して締付けるもの（例えば、特許文献２参照）、バンド部材の一端に設けた挿通部に他端を挿通しながらバンド部材を２重に巻回し、挿通部から巻方向へ食み出た部分を挿通部の出口側縁を基点として反対側へ折り曲げるもの（例えば、特許文献３参照）等がある。
【０００３】
【特許文献１】特開２００３−１９４２７４号公報（第３図）
【特許文献２】特開２００５−３０４７号公報（第３図）
【特許文献３】特開２００３−１５６０６５号公報（第９図）
【発明の開示】
【発明が解決しようとする課題】
【０００４】
特許文献１および２に記載された締付けバンドは、バンド部材のほかに締付け部材やレバーを必要とするので複合部品の管理に手間がかかり、かつ、バンド部材を被締付け部材に巻き付けた後、これを締付け部材やレバーで締付ける必要があるので、締付け作業に手間がかかる問題がある。また、特許文献３に記載された締付けバンドは、バンド部材のみの単一部品とすることができるが、バンド部材が被締付け部材に２重に巻回するために長くなり、かつ、長いバンド部材を被締付け部材に２重に巻回した後、その先端を折り曲げる必要があるので、やはり締付け作業に手間がかかる問題がある。
【０００５】
そこで、本発明の課題は、単一部品で締付け作業も容易な締付けバンドを提供することである。
【課題を解決するための手段】
【０００６】
上記の課題を解決するために、本発明は、可撓性を有する帯状のバンド部材の両端部を互いに係止して、剛性部材の外周面に筒状の被締付け部材を締付け固定する締付けバンドにおいて、前記バンド部材の一方の端部に先端が幅方向で二股に分岐する二股部を設けて、他方の端部にこの二股部が嵌挿されるトンネル部を設け、前記二股部の先端部両側に、幅方向外側へ突出して、二股部の根元側に顎が形成された突出部を設け、これらの二股部の幅方向外側へ突出する突出部の外法幅を前記トンネル部の内法幅よりも広くして、前記トンネル部に嵌挿されて縮幅される二股部の先端部をトンネル部の出口側で拡幅させて、その両側の前記突出部の顎をトンネル部の出口側縁に係止する構成を採用した。
【０００７】
すなわち、バンド部材の一方の端部に設けた二股部を、他方の端部に設けたトンネル部に嵌挿し、二股部の先端部両側に設けた突出部の外法幅をトンネル部の内法幅よりも広くして、トンネル部に嵌挿されて縮幅される二股部の先端部をトンネル部の出口側で拡幅させて、その両側の突出部の顎をトンネル部の出口側縁に係止することにより、単一部品として締付け作業も容易にできるようにした。
【０００８】
前記トンネル部の内法幅を、前記二股部が嵌挿される出口側へ向かって徐々に狭くすることにより、二股部をスムーズにトンネル部へ嵌挿することができる。
【０００９】
前記バンド部材の両端部の外側面に、両端部を接近させるように引掛けるための突起を設けることにより、これらの突起をプライヤ等の工具を用いて接近させて、トンネル部に嵌挿した二股部の先端をトンネル部の出口まで出し、その両側の突出部の顎をトンネル部の出口側縁に容易に係止することができる。
【発明の効果】
【００１０】
本発明の締付けバンドは、バンド部材の一方の端部に設けた二股部を、他方の端部に設けたトンネル部に嵌挿し、二股部の先端部両側に設けた突出部の外法幅をトンネル部の内法幅よりも広くして、トンネル部に嵌挿されて縮幅される二股部の先端部をトンネル部の出口側で拡幅させて、その両側の突出部の顎をトンネル部の出口側縁に係止するようにしたので、単一部品で締付け作業も容易なものとすることができる。
【００１１】
前記トンネル部の内法幅を、二股部が嵌挿される出口側へ向かって徐々に狭くすることにより、二股部をスムーズにトンネル部へ嵌挿することができる。
【００１２】
前記バンド部材の両端部の外側面に、両端部を接近させるように引掛けるための突起を設けることにより、これらの突起をプライヤ等の締付け工具を用いて接近させて、トンネル部に嵌挿した二股部の先端をトンネル部の出口まで出し、その両側の突出部の顎をトンネル部の出口側縁に容易に係止することができる。
【発明を実施するための最良の形態】
【００１３】
以下、図面に基づき、本発明の実施形態を説明する。この締付けバンドは等速ジョイントのブーツの端部を締付け固定するものであり、図１に示すように、可撓性を有する帯状のバンド部材１の一方の端部に先端が幅方向で二股に分岐する二股部２が設けられ、他方の端部に二股部２が嵌挿されるトンネル部３が設けられている。また、バンド部材１の両端部の外側面には、これらを接近させるように引掛けるための突起４が設けられている。
【００１４】
図２に示すように、前記二股部２の先端部両側には、幅方向外側へ突出する突出部５が設けられ、その二股部根元側には顎５ａが形成されている。二股部２の根元内側には、二股部２の拡縮を容易にするための逃げ部６が形成され、二股部２の幅方向外側面には、先端側へ内向きに傾斜するテーパ２ａが形成されている。
【００１５】
また、前記トンネル部３の内法幅は二股部２の先端部両側の突出部５の外法幅よりも狭く形成されており、トンネル部３の内側面には、その内法幅が二股部２の嵌挿される出口側へ向かって狭くなるように、テーパ３ａが形成されている。
【００１６】
つぎに、上述した締付けバンドによる締付け作業の手順を説明する。まず、図３（ａ）に示すように、プライヤＡ等の締付け工具で、バンド部材１の両端部外側面の突起４を接近させ、二股部２をトンネル部３の奥へ嵌挿する。このとき、二股部２の先端の突出部５の外法幅はトンネル部３の内法幅よりも広いので、両突出部５の外側面が、出口側へ向かって狭くなるテーパ３ａで形成されたトンネル部の内側面に当たり、二股部２の先端部が徐々に縮幅する。
【００１７】
こののち、図３（ｂ）に示すように、二股部２の突出部５がトンネル部３の出口から出ると、二股部２が拡幅してその幅方向外側面のテーパ２ａがトンネル部３の内側面のテーパ３ａに当接され、突出部５の顎５ａがトンネル部３の出口側縁に係止されて、締付け作業が完了する。
【図面の簡単な説明】
【００１８】
【図１】締付けバンドの実施形態を示す外観斜視図
【図２】図１の要部を拡大して示す平面図
【図３】ａ、ｂは、それぞれ図１の締付けバンドによる締付け作業の手順を説明する要部拡大平面図
【符号の説明】
【００１９】
１  バンド部材
２  二股部
３  トンネル部
２ａ、３ａ  テーパ
４  突起
５  突出部
５ａ  顎
６  逃げ部
【図１】
2007078040.tif 000003
【図２】
2007078040.tif 000004
【図３】
2007078040.tif 000005